(57)【特許請求の範囲】
【請求項１】
ＤＶＤオーディオ規格の符号化方式であってロスレス圧縮（パックドＰＣＭ）を含む符号化方式で符号化されると共に所定のチャンネル数からなるマルチチャンネルのオーディオデータを含んで所定のデータストリームが形成されたデータから前記符号化方式のオーディオデータをチャンネル毎のＰＣＭオーディオ信号に復号して前記チャンネルのチャンネルコードを付加した前記ＰＣＭオーディオ信号からなると共に前記ＰＣＭオーディオ信号のチャンネルが前記所定のチャンネル数隣接して配列されているリアルデータとしパケットヘッダとＣＩＰヘッダと前記リアルデータを収納する領域からなる構造にパケット化するに際し、そのパケット内のデータフィールド内であってＣＩＰヘッダを除く実データ記録領域であるリアルデータ領域の内部に設けられた所定の領域に、前記データストリームのオーディオデータの符号化方式を示す識別情報を格納すると共に所定プロトコルのフォーマットでパケット化するパケット化処理手段を有することを特徴とする信号処理装置。
【請求項２】
ＤＶＤオーディオ規格の符号化方式であってロスレス圧縮（パックドＰＣＭ）を含む符号化方式で符号化されると共に所定のチャンネル数からなるマルチチャンネルのオーディオデータを含んで所定のデータストリームが形成されたデータから前記符号化方式のオーディオデータをチャンネル毎のＰＣＭオーディオ信号に復号して前記チャンネルのチャンネルコードを付加した前記ＰＣＭオーディオ信号からなると共に前記ＰＣＭオーディオ信号のチャンネルが前記所定のチャンネル数隣接して配列されているリアルデータとしパケットヘッダとＣＩＰヘッダと前記リアルデータを収納する領域からなる構造にパケット化するに際し、そのパケット内のデータフィールド内であってＣＩＰヘッダを除く実データ記録領域であるリアルデータ領域の内部に設けられた所定の領域に、前記データストリームのオーディオデータの符号化方式を示す識別情報を格納すると共に所定プロトコルのフォーマットでパケット化されて伝送されたデータを受信し、少なくとも前記情報をデコードする手段を有することを特徴とする信号処理装置。
【請求項３】
ＤＶＤオーディオ規格の符号化方式であってロスレス圧縮（パックドＰＣＭ）を含む符号化方式で符号化されると共に所定のチャンネル数からなるマルチチャンネルのオーディオデータを含んで所定のデータストリームが形成されたデータから前記符号化方式のオーディオデータをチャンネル毎のＰＣＭオーディオ信号に復号して前記チャンネルのチャンネルコードを付加した前記ＰＣＭオーディオ信号からなると共に前記ＰＣＭオーディオ信号のチャンネルが前記所定のチャンネル数隣接して配列されているリアルデータとしパケットヘッダとＣＩＰヘッダと前記リアルデータを収納する領域からなる構造にパケット化するに際し、そのパケット内のデータフィールド内であってＣＩＰヘッダを除く実データ記録領域であるリアルデータ領域の内部に設けられた所定の領域に、前記データストリームのオーディオデータの符号化方式を示す識別情報を格納し、所定規格のシリアルインタフェースに対応したパケットに変換して前記所定規格のシリアルインタフェースを通じて伝送するようにしたことを特徴とする伝送方法。
【発明の詳細な説明】
【０００１】
【発明の属する技術分野】
本発明は、ＤＶＤ(Digital Versatile Disc)オーディオなどの多重化されたデータストリーム(Data Stream)を、シリアルインタフェース(Serial Interface)を介して伝送するためのパケット(Packet)の信号処理装置及び伝送方法に関する。
【０００２】
【従来の技術及び発明が解決しようとする課題】
従来からデジタルコンテンツデータ(Digital Contents Data)をデジタルインタフェース(Digital Interface)（特に、シリアルインタフェース(Serial Interface)ともいう）を介して伝送する技術が知られている。
例えば、特開平１０−２８５２３４号公報、特開平１１−４５５１２号公報に開示されるようにコンテンツは分割されたＭＰＥＧ(Moving Picture Experts Group)トランスポートストリーム(Transport Stream)毎にヘッダ(Header)を付加して伝送される。
上記のコンテンツは分割して伝送されるとパケット抜けを生じるおそれがある。そのためヘッダの情報を用いてパケット抜けを処理することが必要になる。
ところで、近年、ＤＶＤオーディオフォーマット(Audio Format)のようにＡパック、ＲＴＩ(Real Time Information)パック、ＳＰＣＴ（静止画信号）パックを含むオーディオファイル(Audio File)とＤＶＤ（ビデオ）ファイル(DVD(Video) File)とが多重化されたファイル構造をもつコンテンツを伝送することが求められるようになった。
このように多重化されたファイル構造を持つデータストリームを転送する場合には、特に、デジタルインタフェースの段階で圧縮方式を特定できるようにフォーマット処理を行ってどのような復号処理が必要か予め通告することにより「選択的に」受信できるようにしたり、効率よく再生できることが望まれている。例えば、復号できないデータである場合、受信を中止するなどの対応を可能にしたり、予め、圧縮データであるかを検出して効率よく再生することである。
そこで、本発明は、上記の問題点に鑑み、これらの問題点を解決した音声信号などを含むＤＶＤオーディオフォーマットやＤＶＤビデオフォーマットなどに基づく多重化されたコンテンツを、デジタルインタフェースを介して伝送するための信号処理装置及び伝送方法を提供するものである。
【０００３】
【課題を解決するための手段】
本発明は、上記課題を解決するために、以下の１）乃至３）に記載の手段からなる。
すなわち、
【０００４】
１）ＤＶＤオーディオ規格の符号化方式であってロスレス圧縮（パックドＰＣＭ）を含む符号化方式で符号化されると共に所定のチャンネル数からなるマルチチャンネルのオーディオデータを含んで所定のデータストリームが形成されたデータから前記符号化方式のオーディオデータをチャンネル毎のＰＣＭオーディオ信号に復号して前記チャンネルのチャンネルコードを付加した前記ＰＣＭオーディオ信号からなると共に前記ＰＣＭオーディオ信号のチャンネルが前記所定のチャンネル数隣接して配列されているリアルデータとしパケットヘッダとＣＩＰヘッダと前記リアルデータを収納する領域からなる構造にパケット化するに際し、そのパケット内のデータフィールド内であってＣＩＰヘッダを除く実データ記録領域であるリアルデータ領域の内部に設けられた所定の領域に、前記データストリームのオーディオデータの符号化方式を示す識別情報を格納すると共に所定プロトコルのフォーマットでパケット化するパケット化処理手段を有することを特徴とする信号処理装置。
２）ＤＶＤオーディオ規格の符号化方式であってロスレス圧縮（パックドＰＣＭ）を含む符号化方式で符号化されると共に所定のチャンネル数からなるマルチチャンネルのオーディオデータを含んで所定のデータストリームが形成されたデータから前記符号化方式のオーディオデータをチャンネル毎のＰＣＭオーディオ信号に復号して前記チャンネルのチャンネルコードを付加した前記ＰＣＭオーディオ信号からなると共に前記ＰＣＭオーディオ信号のチャンネルが前記所定のチャンネル数隣接して配列されているリアルデータとしパケットヘッダとＣＩＰヘッダと前記リアルデータを収納する領域からなる構造にパケット化するに際し、そのパケット内のデータフィールド内であってＣＩＰヘッダを除く実データ記録領域であるリアルデータ領域の内部に設けられた所定の領域に、前記データストリームのオーディオデータの符号化方式を示す識別情報を格納すると共に所定プロトコルのフォーマットでパケット化されて伝送されたデータを受信し、少なくとも前記情報をデコードする手段を有することを特徴とする信号処理装置。
３）ＤＶＤオーディオ規格の符号化方式であってロスレス圧縮（パックドＰＣＭ）を含む符号化方式で符号化されると共に所定のチャンネル数からなるマルチチャンネルのオーディオデータを含んで所定のデータストリームが形成されたデータから前記符号化方式のオーディオデータをチャンネル毎のＰＣＭオーディオ信号に復号して前記チャンネルのチャンネルコードを付加した前記ＰＣＭオーディオ信号からなると共に前記ＰＣＭオーディオ信号のチャンネルが前記所定のチャンネル数隣接して配列されているリアルデータとしパケットヘッダとＣＩＰヘッダと前記リアルデータを収納する領域からなる構造にパケット化するに際し、そのパケット内のデータフィールド内であってＣＩＰヘッダを除く実データ記録領域であるリアルデータ領域の内部に設けられた所定の領域に、前記データストリームのオーディオデータの符号化方式を示す識別情報を格納し、所定規格のシリアルインタフェースに対応したパケットに変換して前記所定規格のシリアルインタフェースを通じて伝送するようにしたことを特徴とする伝送方法。
【０００５】
【発明の実施の形態】
以下、本発明の実施の形態につき、好ましい実施例により説明する。
図１は、その実施例に係る信号処理装置及び伝送方法の第１の実施例を示すブロック図、図２は図１のディスクプレーヤの処理を示すフローチャートである。
【０００６】
図１の例では、家庭内情報ネットワークのセンターを担う送信装置であるディスクプレーヤ１００と１つの受信端末装置である記録再生装置２００がそれぞれデータ転送インタフェース（Ｉ／Ｆ）２００ａ、２００ｂを有し、データ転送Ｉ／Ｆ２００ａ、２００ｂが２本のＩＥＥＥ１３９４規格のシリアルインタフェース１８８−１、１８８−２を介して接続されている。ディスクプレーヤ１００は、例えばＤＶＤオーディオ・ディスクに記録されているオーディオ信号Ａと静止画（スチルピクチャ）信号ＳＰＣＴを読み出し、これをデータ転送Ｉ／Ｆ２００ａ、シリアルインタフェース１８８−１、１８８−２を介して記録再生装置２００に送信する。記録再生装置２００はこのオーディオ信号Ａと静止画信号ＳＰＣＴをシリアルインタフェース１８８−１、１８８−２、データ転送Ｉ／Ｆ２００ｂを介して受信して、再生する。このとき、一方のシリアルインタフェース１８８−１は受信又は送信用に選択的に使用され、他方のシリアルインタフェース１８８−２は送信専用に使用される。
【０００７】
図２を参照して図１のディスクプレーヤ１００の動作を説明する。まず、データ転送Ｉ／Ｆ２００ａと一方のシリアルインタフェース１８８−１とを受信モードに設定し（ステップＳ１）、次いでデータ転送Ｉ／Ｆ２００ａ、２本のシリアルインタフェース１８８−１、１８８−２を介して記録再生装置２００との間で双方向伝送を行う（ステップＳ２）。
次いで一方のシリアルインタフェース１８８−１を受信モードから送信モードに設定し（ステップＳ３）、次いで２本のシリアルインタフェース１８８−１、１８８−２を介して、転送レートが比較的高い信号を分散して再生装置２００に送信する（ステップＳ４）。すなわち、この例では他方のシリアルインタフェース１８８−２は常に送信モードに設定される。
【０００８】
送信データの具体例としては、ＤＶＤオーディオディスクにはオーディオ信号Ａの他にリアルタイムインフォメーション信号ＲＴＩ（例えばテキストデータ）と静止画信号ＳＰＣＴが記録されているので、オーディオ信号Ａをシリアルインタフェース１８８−１を介して伝送し、リアルタイムインフォメーション信号  ＲＴＩと静止画信号ＳＰＣＴをシリアルインタフェース１８８−２を介して伝送する方法が考えられる。このように分散することにより前者のオーディオ信号Ａと後者のリアルタイムインフォメーション信号ＲＴＩと静止画信号ＳＰＣＴが同期再生される場合にはバッファ容量の制限を回避できるので多数の静止画、例えば、８０枚から９９枚、を同期再生させることができる。なお、一方を受信モードに設定したステップＳ１において行う具体的な通信の例は、再生端末からのディスクの指定（リクエスト）、プレイコマンド等の操作指示である。
【０００９】
なお、シリアルインタフェースは２本に限定されず、例えば、図３、図４に示すように４本のシリアルインタフェース１８８−１〜１８８−４（及びデータ転送インタフェースＩ／Ｆ２００ａ´、２００ｂ´）を用いてもよい。すなわち、まず、シリアルインタフェース１８８−１〜１８８−４の中の１本を受信モードに設定し（ステップＳ１１）、次いで、２本のシリアルインタフェース１８８−１、１８８−２を介して記録再生装置２００との間で双方向伝送を行う（ステップＳ１２）。次いで上記の受信モードのインタフェース１８８−１を双方向モードに設定し（ステップＳ１３）、次いで３本のシリアルインタフェース
１８８−２〜１８８−４を介して、転送レートが比較的高い信号を分散して記録再生装置２００に送信する（ステップＳ１４）。
【００１０】
すなわち、この場合には例えば１本のシリアルインタフェース１８８−１を受信又は送信に選択的に使用し、他の３本のシリアルインタフェース１８８−２〜１８８−４を送信専用に使用するようにしても良い。この場合には、例えば、オーディオ信号Ａとリアルタイムインフォメーション信号ＲＴＩと静止画信号ＳＰＣＴをそれぞれ３本のシリアルインタフェース１８８−２〜１８８−４を介して伝送し、再生端末との操作に関するデータを１本のシリアルインタフェース
１８８−１を介して相互に伝送する方法が考えられる。
【００１１】
本実施例ではまた、ＩＥＥＥ１３９４規格の伝送方式に代えてＩＥＣ９５８規格のオーディオ対応フォーマットにも適用することができる。
ＩＥＣ９５８規格は、本実施例のＩＥＥＥ１３９４規格のように双方向への伝送方式と異なり、一方方向のみの伝送方式であり、本実施例のように複数のシリアルインタフェースを用いて双方向に伝送する場合には適用し易いものとなる。
更に、上記ＩＥＣ９５８規格のオーディオ対応フォーマットとは、ＩＥＥＥ１３９４規格におけるＩＥＣ９５８モードオーディオ対応フォーマットであってもよく、ＩＥＥＥ１３９４規格の様々なモードにも適用できる。
【００１２】
次に、図５を用いて後述する図１２のデータフィールドに格納される課金フラグ、ゼロフラグ(Zero Flag)、ミュートフラグ(Mute Flag)、パックフラグ(Back Flag)、コピーフラグ(Copy Flag)及びコピー付帯情報（ダウンサンプリングフラグ(Down-sampling Flag)Ｆａ、ダウンミックスフラグ(Down-mix Flag)Ｆｂ、デクオンタイズフラグ(De-quantize Flag)Ｆｃ、コピー回数）の説明を行う。まず、送信側から受信側に対してデータの圧縮方式がＤＶＤオーディオのロスレス方式であるか否かのフラグを送る。例えば、このフラグは、図１３で示すようなデータフィールドの管理情報内に格納されるフラグである。もし、このロスレス方式が復号できない場合、受信を中止することができる。また、同時に送信側から受信側に対して送られた認証データを受信し、その応答を行い、受信側がコピーを行う資格があるか否かがチエックされ、そのチエック条件を満足する場合、スタートする。コピーフラグと送信側において予めコンテンツに施された処理を示すコピー付帯情報を受け取り、すなわち、サンプリング周波数Ｆｓが半分に変換されている処理が施されていればダウンミクスフラグＦｂが“１”にセットされ、もとのビット（例えば、２０ビット）から１６ビットにデクオンタイズ(de-quantize)処理が施されていれば、デクオンタイズフラグＦｃが“１”にセットされ、また、コピー回数がセットされたコピー付帯情報を受け取る。また、コンテンツの種類に応じた「有料」、「無料」を示す課金フラグを見て、「有料」の場合、コピー回数情報に応じて課金料金を決定し、装置内に具備される電子財布から課金を行う課金管理を行う（ステップＳ２１）。
【００１３】
次に、複数本のシリアルインタフェースの内、いくつかが不使用の場合やデータが「０」の場合には、送信側から受信側に対してそのシリアルインタフェースを介してゼロフラグを送信するので、受信側ではこのフラグを見て（ステップＳ２２）、Ｙであれば受信処理しないようにし（ステップＳ２３）、また、音声信号Ａ以外のデータ、例えば静止画信号ＳＰＣＴやリアルタイムインフォメーションＲＴＩをあるシリアルインタフェースを介して送信する場合には受信側において音声信号用のＤ／Ａコンバータにより雑音が発生しないように、送信側から受信側に対してそのシリアルインタフェースを介してミュートフラグを送信し、受信側ではこのフラグを見て（ステップＳ２４）、Ｙであればミュート処理するようにする（ステップＳ２５）。
【００１４】
また、音声信号Ａ、静止画信号ＳＰＣＴ、リアルタイムインフォメーション(Real Time Information)ＲＴＩ、ビデオ信号Ｖをあるシリアルインタフェースを介して送信する場合には受信側においてそれを即座にデコードして同期を取り易いように、送信側から受信側に対してそのシリアルインタフェースを介して信号種類別フラグを送信し、受信側ではこのフラグを見て受信し（ステップＳ２６）、終了であれば（ステップＳ２７でＹ）終了する。送信側では、コピーの完了によってコピー回数情報をカウントアップして書き換える。
【００１５】
図６にステップＳ２６の具体的一例を示す。すなわち、信号種類別フラグがオーディオ信号（ＤＶＤオーディオディスクのＡパック）であるかを見て（ステップＳ３１）、ＹであればＡパックバッファに供給し（ステップＳ３２）、パックフラグがビデオ信号（ＤＶＤオーディオディスクのビデオパック）であるかを見て（ステップＳ３３）、ＹであればＶパックバッファに供給し（ステップＳ３４）、パックフラグがＲＴＩ信号（ＤＶＤオーディオディスクのＲＴＩパック）であるかを見て（ステップＳ３５）、ＹであればＲＴＩパックバッファに供給し（ステップＳ３６）、パックフラグがＳＰＣＴ信号（ＤＶＤオーディオディスクのＳＰＣＴパック）であるか見て（ステップＳ３７）、ＹであればＳＰＣＴパックバッファに供給し（ステップＳ３８）、その他（管理データ）であればデコーダバッファに供給する（ステップＳ３９）。
【００１６】
また、上述したＩＤ、管理情報、及びフラグ情報は、次のようなＭＰＥＧプロトコルのデータ内に収納して送信されるようになっている。
図７は、その送信を行うためのＩＥＥＥ１３９４規格のアイソクロナス（Isochronous）転送方式を説明するための図で、図７（ａ）はトランスポート・ストリームを示す。トランスポート・ストリームは、１８８バイトの固定パケットで、ここではＤＶＤオーディオ規格によるオーディオデータのビット列（Ａパック）やＤＶＤビデオ規格による画像データやオーディオデータ（ビデオのＡパック）など（Ｖパック）、あるいはまたＳＡＣＤ規格（スーパーオーディオ(Super Audio)ＣＤ規格）によるオーディオデータのビット列が配列される。
【００１７】
図８から図１１に、ここに配列される前述のＡパック、Ｖパック、ＲＴＩパック、及びＳＰＣＴパックのデータ構造を示す。図８（Ａ）に示すリニアＰＣＭのＡパックはＤＶＤオーディオディスクのデータエリア内に記録されているものである。
このＰＣＭのＡパックは、２０４８バイト以下で構成され、その内訳は１４バイトのパックヘッダとＡパケットにより構成されている。Ａパケットは１７、９又は１４バイトのパケットヘッダ(Packet Header)と、プライベートヘッダ(Private Header)と、１ないし２０１１バイトのオーディオデータ(Audio Data)により構成されている。
【００１８】
プライベートヘッダは、
・８ビットのサブストリームＩＤと、
・ＵＰＣ、ＥＡＮ、ＩＳＲＣ内の３ビットの保留領域と、
・ＵＰＣ、ＥＡＮ、ＩＳＲＣ内の５ビットのＵＰＣ／ＥＡＮ／ＩＳＲＣ番号と、
・ＵＰＣ、ＥＡＮ、ＩＳＲＣ内の８ビットのＵＰＣ／ＥＡＮ／ＩＳＲＣデータと、
・８ビットのプライベートヘッダ長と、
・１６ビットの第１アクセスユニットポインタと、
・８バイトのオーディオデータ情報（ＡＤＩ）と、
・０〜７バイトのスタッフィングバイトと、
により構成されている。
【００１９】
ＡＤＩ（オーディオデータ情報部）は、
・１ビットのオーディオ・エンファシス・フラグと、
・１ビットの保留領域と、
・１ビットのステレオ再生モードと、
・１ビットのダウンミクスコード有効性と、
・４ビットのダウンミクスコードと、
・４ビットのグループ「１」の量子化ワード長「１」と、
・４ビットのグループ「２」の量子化ワード長「２」と、
・４ビットのグループ「１」のオーディオ・サンプリング周波数ｆｓ１と、
・４ビットのグループ「２」のオーディオ・サンプリング周波数ｆｓ２と、
・４ビットの保留領域と、
・４ビットのマルチチャンネルタイプと、
・３ビットのグループ「２」のビットシフトと、
・５ビットのチャンネル割り当て情報と、
・８ビットのダイナミックレンジ制御情報と、
・１６ビットの保留領域と、
により構成されているものである。
【００２０】
また、図８（Ｂ）にロスレス圧縮したパックド（圧縮）ＰＣＭ(Packed PCM)のＡパックの構造が示され、このパックは２０４８バイト以下で構成され、その内訳は１４バイトのパックヘッダとＡパケットにより構成されている。Ａパケットは１７、２２、９、１４又は１９バイトのパケットヘッダと、プライベートヘッダと、１ないし２０１５バイトの圧縮されたオーディオデータにより構成されている。
プライベートヘッダは、
・８ビットのサブストリームＩＤと、
・ＵＰＣ、ＥＡＮ、ＩＳＲＣ内の３ビットの保留領域と、
・ＵＰＣ、ＥＡＮ、ＩＳＲＣ内の５ビットのＵＰＣ／ＥＡＮ／ＩＳＲＣ番号と、
・ＵＰＣ、ＥＡＮ、ＩＳＲＣ内の８ビットのＵＰＣ／ＥＡＮ／ＩＳＲＣデータと、
・８ビットのプライベートヘッダ長と、
・１６ビットの第１アクセスユニットポインタと、
・４バイトのオーディオデータ情報（ＡＤＩ）と、
・０〜７バイトのスタッフィングバイトと、
により構成されている。
ＡＤＩ（オーディオデータ情報）は、
・８ビットの前方サーチポインタと、
・８ビットの後方サーチポインタと、
・１６ビットの保留領域と、
により構成されている。
【００２１】
図９に示すＶパックはＤＶＤオーディオ又はＤＶＤビデオディスクのデータエリア内に記録されているものである。
このＶパックは、２０４８バイト以下で構成され、その内訳は１４バイトのパックヘッダとユーザデータパケットにより構成されている。パックヘッダは４バイトのパックスタートと、６バイトのＳＣＲと、３バイトのＭＵＸレート（多重転送レート）と、１バイトのスタッフィングにより構成されている。
【００２２】
図１０に示すＲＴＩパックはＤＶＤオーディオディスクのデータエリア内に記録されているものである。
このＲＴＩパックは、２０４８バイト以下で構成され、その内訳は１４バイトのパックヘッダとＲＴＩパケットにより構成されている。ＲＴＩパケットは１７、９又は１４バイトのパケットヘッダと、ＲＴＩプライベートヘッダと、１ないし２０１５バイトのＲＴＩデータにより構成されている。
【００２３】
ＲＴＩプライベートヘッダは、
・８ビットのサブストリームＩＤと、
・２バイトの保留領域と、
・８ビットのプライベートヘッダ長と、
・４ビットの保留領域と、
・４ビットのＲＴＩ情報ＩＤと、
・０〜７バイトのスタッフィングバイトと、
により構成されている。
【００２４】
図１１に示すＳＰＣＴパックはＤＶＤオーディオディスクのデータエリア内に記録されているものである。
このＳＰＣＴパックは、２０４８バイト以下で構成され、その内訳は１４バイトのパックヘッダとＳＰＣＴパケットにより構成されている。ＳＰＣＴパケットは２２、１９又は９バイトのパケットヘッダと、１ないし２０２５バイトのＳＰＣＴデータにより構成されている。
【００２５】
再び、図７において、上述の１８８バイトよりなる固定パケットは、その先頭にソース・パケット・ヘッダと呼ばれるタイムスタンプが付けられる［図７（ｂ）］。受信側では、このタイムスタンプの時刻に合わせて音声や動画が再生されるようになっている。
そして、これらのデータはそれぞれ４８バイトの複数のデータ・ブロックに分割される［図７（ｃ）］。その分割方法は、１９２バイト×１ブロック、９６バイト×２ブロック、４８バイト×４ブロック、２４バイト×８ブロックの４通りである。
【００２６】
次に、複数のデータ・ブロックがまとめられて、一つのアイソクロナス転送パケットが作られる。このまとめられ方は、１２５μｓを１サイクルとし、この１サイクル毎に収まる数のブロックに順次まとめられ、そのブロックの先頭に後述するＩＥＥＥ１３９４用のパケットヘッダが付加される。図７（ｄ）に４８バイトづつに分割されたデータが３ブロック及び２ブロックにまとめられた状態が示されている。
【００２７】
そして、このデータ転送を行う時には、図１２に示すように、先頭にアービトレイションが付加され、これに続いてサイクルスタートパケットが配列され、更に、このサイクルスタートパケットに続いて所定間隔毎に１２５ μｓのパケットが繰り返し配列されて転送されるようになっている。
【００２８】
この１２５ μｓ毎のパケットは、パケットヘッダと、データフィールドと、３２ビットのデータエラー検出符号とにより構成されている。
パケットヘッダは、
・１６ビットのデータ長情報と、
・２ビットの後述するＣＩＰ（Common Isochronous Packet）ヘッダの有無を示すタグと、
・６ビットのパケットが伝送されるチャンネル割り当て情報と、
・４ビットの処理コードを示すトランザクションコード(Transaction Code)と、
・４ビットの同期コードと、
・３２ビットのパケットヘッダエラー検出符号と、
より構成される。
【００２９】
データフィールドは、３２ビットのＣＩＰヘッダと３２ビットのリアルデータのヘッダとリアルデータと３２ビットのリアルデータのテールから構成される。
８ビットのＩＤは、
・４ビットのシリアルインタフェースの総数と、
・４ビットのシリアルインタフェースの番号と、
により構成される。
１６ビットの応用情報は、
・４ビットのパックフラグと、
・１ビットのゼロフラグと、
・１ビットのミュートフラグと、
・８ビットの課金フラグと、
・２ビットのコピーフラグと、
により構成される。
【００３０】
８ビットのコピー付帯情報は、
・１ビットのダウンサンプリングフラグＦａと、
・１ビットのダウンミクスフラグＦｂと、
・１ビットのデクオンタイズフラグＦｃと、
・５ビットのコピー回数と、
により構成される。
【００３１】
リアルデータのテール内の管理情報には、図１３に示すように１バイト（８ビット）のアドレス００ｈからアドレスＦＦｈ（２５６種類）に相当する情報（１６ビット）が順に記録され、これを繰り返すように構成される。このアドレス００ｈからＦＦｈはリアルデータのテール内のＩＤ（８ビット）に記録されるようになっている。
すなわち、
００ｈ〜０７ｈ；ＩＳＲＣ、
０８ｈ〜０Ｂｈ；ＵＰＣ／ＥＡＮ／ＪＡＮ コード、
０Ｃｈ；ＳＤＣＭ（コピー管理情報）、
０Ｄｈ〜２Ｆｈ；暗号化の附属情報、
３０ｈ〜３Ｆｈ；使用許可期間、
４０ｈ；コンテンツＩＤ、
４１ｈ〜４６ｈ；著作権保護期間、
４７ｈ〜４Ａｈ；プレーヤに関する情報、
４Ｂｈ〜７２ｈ；テキストデータ、
７３ｈ〜７Ｆｈ；ユーザＩＤ、
８０ｈ；ＤＶＤオーディオのロスレス圧縮フラグ（パックドＰＣＭフラグ）、
８１ｈ〜ＢＦｈ；保留領域、
Ｃ０ｈ〜Ｃ７ｈ；ディスク管理データ、
Ｃ８ｈ〜ＣＥｈ；マスターテープ管理データ、
ＣＦｈ〜ＦＦｈ；ソフトウエア生産の基本情報、
により構成される。このようにして１６ビットの領域を用いて２５６番地の多数の情報を収納できる。
【００３２】
また、リアルデータに格納されるマルチチャンネルデータであるＡＭ８２４データは、図１４に示すように、３２ビットからなり、先頭識別子（０１１）と、チャンネルコード（５ビット）と、ＰＣＭオーディオ（２４、２０、又は１６ビット；但し、２０、又は１６ビットの場合、ＬＳＢ側にゼロを埋める）から構成される。
【００３３】
チャンネルコードは、図１５に示すように、
０ｈ：Ｌｆ：マルチチャンネルのレフトフロント
１ｈ：Ｒｆ：マルチチャンネルのライトフロント
２ｈ：Ｓ  ：マルチチャンネルのサラウンド
３ｈ：Ｌｓ：マルチチャンネルのレフトサラウンド
４ｈ：Ｒｓ：マルチチャンネルのライトサラウンド
５ｈ：Ｃ  ：マルチチャンネルのセンター
６ｈ：ＬFE：マルチチャンネルのLow Frequency Effect
７−１Ｆｈ：保留
により規定される。
【００３４】
図１６は、上記規定による具体的なリアルデータの例である。
また、前記のチャンネルコード情報は、前記のリアルデータ内に入れる代わりに、図１７に示すように１６ビットの情報を前記の図１２におけるテール内のＩＤ及びリザーブ領域に入れるようにしても良い。
この１６ビット情報は、
グループのサンプリング周波数FS2（４ビット）と、
マルチチャンネルのタイプを示す情報［周波数とビット数（４ビット）］と、チャンネルアサインメント（割当て）を示す情報（５ビット）と
１ビットの保留、１ビットのダウンサンプルフラグ(Down-sampling Flag)、及び１ビットのディクオンタイズフラグ(De-quantize Flag)の計３ビットの情報部と、
とから構成するようにしても良い。
図１７は、図１３の変形の実施例で、チャンネルアサイメント(Channel Assignment)はチャンネル情報の一例である。
【００３５】
図１８は、そのチャンネルアサインメントに基づく詳細を示したものである。
同図は１チャンネル（モノラル）から６チャンネルまでのグループ「１」、「２」のチャンネル割り当て情報を示している。同図におけるＬｆ，Ｒｆ，Ｓ，Ｌｓ…の各符号は、前記の図１５と同様に各対応するチャンネルを表し、Ｌ，Ｒは２チャンネルステレオを意味する。
また、その場合、前記のリアルデータ内のマルチチャンネルデータは、例えば、図１９のように配列され、各チャンネルは前記図１７のチャンネルアサイメント及び図１８のチャンネル順（ＡＣＨ０〜ＡＣＨ５）により確定されるようになっている。つまり、前記の図１４のＣＨコード５ビットの代わりにビットフラグを格納するようにする。ビットフラグの上位２ビットはビット情報として、例えば（００；２４ビット）、（０１；２０ビット）、（１０；１６ビット）、
（１１；その他ビット）を表し、ビットフラグの下位２ビットはダウンサンプリング情報として、例えば、（０１０）はダウンサンプリングなし、（０１１）はダウンサンプリングあり、というふうに表すようにしている。ダウンサンプリングは、例えば、１／２のサンプリング周波数に変更することを意味する。
【００３６】
次に、図２０はディスクプレーヤ１００の具体的な実施例を示し、ＤＶＤオーディオディスクとＤＶＤビデオディスクなどを再生可能なユニバーサルプレーヤを示している。ユニバーサルプレーヤでは制御部１４の制御及び操作部１５、リモコン１６の操作に基づいてＤＶＤオーディオディスク、ＤＶＤビデオディスク、ＤＶＤ−ＲＡＭディスクなどのディスク１に記録されているデータがドライブ装置２により再生されて復調回路２Ｂにより復調される。ＤＶＤオーディオディスクやＤＶＤビデオビデオディスクから再生されたビデオ（Ｖ）パックとＤＶＤオーディオディスクから再生された静止画パックは、静止画／Ｖパック・デコーダ３によりＤＶＤデコードされてビデオストリームに変換される。
【００３７】
そして、図１に示すモニター用の出力端子５５を介して外部の表示器（不図示）に表示させ、あるいはオーディオ出力として取り出す場合には、このビデオストリームが伸長／画像変換部４により伸長、デスクランブルなどされ、次いでＤ／Ａ変換部５を介してＶパックは、ビデオ信号／サブピクチャ信号／オーディオ信号として出力され、静止画ＳＰＣＴパックは、ビデオ信号として出力される。他方、図１に示す記録再生装置２００に転送する場合には２通りあり、第１の方法では、伸長／画像変換部４により伸長、デスクランブルなどされたデータがデータ配列部６によりパック方式でデータ配列され、次いで２本のデータ転送Ｉ／Ｆ７−１、７−２及びＩＥＥＥ１３９４又はＩＥＣ９５８のシリアルインタフェースを介して記録再生装置２００に転送される。第２の方法では、静止画／Ｖパック・デコーダ３によりデコード（デパック）されたスクランブルありのビデオストリームがデータ転送Ｉ／Ｆ７−１、７−２及びＩＥＥＥ１３９４又はＩＥＣ９５８のシリアルインタフェースを介して記録再生装置２００に転送される。
【００３８】
また、ＤＶＤオーディオディスク、ＤＶＤ−ＲＡＭディスクから再生されたオーディオＡパックと、ＲＴＩパックは、Ａパック／ＲＴＩパックデコーダ８によりＤＶＤデコードされてＤＶＤオーディオストリームに変換され、また表示信号生成部１１を介して文字情報／リアルタイムテキスト情報ＲＴＩに変換される。
【００３９】
そして、オーディオ信号を図１の出力端子５５を介して取り出し外部のスピーカ（不図示）に供給する場合には、このオーディオストリームはＰＣＭ変換／オーディオ信号処理部９によりＰＣＭ変換、デスクランブル(De-scramble)などされてＰＣＭ信号に変換され、次いでＤ／Ａ変換部１０を介して出力される。また、ＲＴＩを外部の表示器（不図示）に表示させる場合には、表示信号生成部１８により変換された出力信号が供給される。他方、図１の記録再生装置２００に転送する場合にもビデオの場合と同様に２通りあり、第１の方法では、ＰＣＭ変換／オーディオ信号処理部９によりＰＣＭ変換、デスクランブルなどされたＰＣＭデータが、必要に応じてダウンサンプリング部１０でサンプリング周波数を低く変更され、必要に応じてダウンミクス部１１でマルチチャンネル信号の場合に２チャンネルステレオ信号にダウンミクスされ、データ配列部１２によりデータ配列され、次いで２本のデータ転送Ｉ／Ｆ１３−１、１３−２及びＩＥＥＥ１３９４又はＩＥＣ９５８のシリアルインタフェースを介して記録再生装置２００に転送される。
【００４０】
第２の方法では、Ａパック／ＲＴＩパックデコーダ８によりデコードされてスクランブルありのＤＶＤオーディオストリームがデータ転送Ｉ／Ｆ１３−１、１３−２及びＩＥＥＥ１３９４又はＩＥＣ９５８のシリアルインタフェースを介して記録再生装置２００に転送される。
【００４１】
また、図２１は受信装置である記録再生装置２００の他の例で、図２０に示すユニバーサルプレーヤ１００により転送されたデータを再生する装置として示し、ユニバーサルプレーヤ１００によりシリアルインタフェースを介して転送されたデータは、データ転送Ｉ／Ｆ２１−１、２１−２を介して受信される。データ転送Ｉ／Ｆ２１−１、２１−２は、ユニバーサルプレーヤ１００により転送されたヘッダのフラグに基づいて制御部３２によりＤＶＤデコーダ２２のバッファ２２Ｖ、Ａパック再生部２３のバッファ２３Ｖ、Ｖパック再生部２４のバッファ２４Ｖ、ＲＴＩパック再生部２５のバッファ２５Ｖ、及びＳＰＣＴパック再生部２６のバッファ２６Ｖのいずれかに分配する。
【００４２】
すなわち、図１２に示す、上述したリアルデータのヘッダ３２ビットの応用情報の４ビットのパックフラグによりＡパックと識別した場合は、Ａパック再生部２３のバッファ２３Ｖに、Ｖパックと識別した場合は、Ｖパック再生部２４のバッファ２４Ｖに、ＲＴＩパックと識別した場合は、ＲＴＩパック再生部２５のバッファ２５Ｖに、ＳＰＣＴパックと識別した場合は、ＳＰＣＴパック再生部２６のバッファ２６Ｖにそれぞれ分配する。もし、パックフラグが付加されていない場合は、ＤＶＤデコーダ２２のバッファ２２Ｖに供給される。操作部３３は、プレイなどの操作を行うためのものである。また、図１３に示すリアルデータ内のアドレス４０ｈに記録されているコンテンツＩＤによりコンテンツを識別して課金処理が行われる。
また、アドレス７３ｈ〜７Ｆｈに記録されているユーザＩＤは、特定のユーザにのみ供給されるときに使用され、ユーザを照合するために使用される。
【００４３】
前記のバッファ２３Ｖに格納されていたデータがユーザの指示により再生状態にされた場合、前記のパックドＰＣＭ（圧縮）フラグを見て、フラグがついている場合には、伸長処理される。従って、このフラグにより全部のデータを見てから伸長処理する必要がなく、予めフラグを見れば良く、再生効率がよくなると共に、バッファ容量が少なくてすむ。
また、前述したように本装置が伸長処理できない装置である場合には、制御部３２においてデータの受信を中止することができる。
【００４４】
また、リアルデータのヘッダ３２ビットにパックＩＤを設けることにより、音声信号Ａ、静止画信号ＳＰＣＴ、リアルタイムインフォメーションＲＴＩ、ビデオ信号Ｖを受信する場合には受信側においてそれを即座にデコードできるため、例えば静止画ＳＰＣＴと音声Ａの同期を取るために予め多量の静止画信号を静止画バッファに取り込む必要がなくなり、従来バッファ容量により制限されていた静止画の同期再生の制限が低減される。また、ビデオ動画Ｖ（音声付き）とオーディオＡが同時に取り出せ、同時に再生できるようになり、それぞれが別々に再生しなければならない再生の制限が解消される。
また、ゼロフラグと、ミュートフラグと、課金フラグと課金情報（使用許可期間）を参照するようにしている。課金フラグと課金情報は、コンテンツのＩＤと共に課金管理部３４で処理される。コピー管理情報ＳＤＣＭはこの場合、使用されない。
【００４５】
また、更に、前記の図２１において、Ａパック再生部２３内の動作について図２２のフローチャートを用いて詳述するに、このＡパック再生部２３では入来データの先頭の３ビットに「０１１」が付与されているかのチエックが行われる（ステップＳ４０）。イエス（Ｙ）であれば、このデータはＰＣＭオーディオデータとして後述のステップへと移行し、ノー（Ｎ）であればこの処理プログラムが終了処理され（ステップＳ５２）、他のチャンネルオーディオデータであるとして処理される。
マルチチャンネルオーディオデータである場合には、ステップＳ４１でＣＨ（チャンネル）コードが見られ、各ＣＨコードがそれぞれのステップＳ４２，Ｓ４４，Ｓ４６，Ｓ４８，Ｓ５０において、それぞれＬｆ，Ｒｆ，Ｌｓ，Ｒｓ，Ｃであるかのチャンネルが検出され、その検出された各チャンネルのデータがそれぞれＡパック再生部２３内の対応するラッチ回路２３ａ，…でラッチされ（ステップＳ４３，Ｓ４５，Ｓ４７，Ｓ４９，Ｓ５１）、同期がとられて出力されようになっている。
【００４６】
また、前述の図１７のように各チャンネルに対応した周波数情報を入れるようにした場合には、更に図１９に示すダウンサンプリング情報を参照して図２３に示すようにステップ６１で各チャンネルに対応した周波数情報を見るようにし、ステップ８０〜８４は、それぞれ各チャンネルに対応した周波数に設定するようにする。すなわち、前記ステップ８０〜８４では、ダウンサンプリング情報により、ダウンサンプリングありの場合にはそのサンプリング周波数Ｆｓを半分に設定するようにする。
【００４７】
更に、別の動作につき、図２４，図２５及び図１，図２０を併せ参照して説明する。まず、図１のディスクプレーヤ１００の動作を説明する。データ転送Ｉ／Ｆ２００ａと一方のシリアルインタフェース１８８−１とを受信モードに設定し（ステップＳ４１）、記録再生装置２００からの伝送要求が有るかチエック（ステップＳ４２）、有ればその伝送要求を受信し（ステップＳ４３）、後述のようにダウンサンプリング及びデクオンタイズの処理に設定し（ステップＳ４４）、マルチチャンネルの場合はダウンミクスするためにダウンミクスの処理に設定する（ステップＳ４５，４６）。
【００４８】
そして、次いでデータ転送Ｉ／Ｆ２００ａ、２本のシリアルインタフェース１８８−１、１８８−２を介して受信装置である記録装置２００との間で双方向伝送を行う（ステップＳ４７）。
次いで一方のシリアルインタフェース１８８−１を受信モードから送信モードに設定し（ステップＳ４８）、次いで２本のシリアルインタフェース１８８−１、１８８−２を介して、転送レートが比較的高い信号を分散して再生装置すなわち記録装置２００に送信する（ステップＳ４９）。すなわち、この例では他方のシリアルインタフェース１８８−２は常に送信モードに設定される。
【００４９】
送信データの具体例としては、ＤＶＤオーディオディスクにはオーディオ信号Ａの他にリアルタイムインフォメーション信号ＲＴＩ（例えばテキストデータ）と静止画信号ＳＰＣＴが記録されているので、オーディオ信号Ａをシリアルインタフェース１８８−１を介して伝送し、リアルタイムインフォメーション信号ＲＴＩと静止画信号ＳＰＣＴをシリアルインタフェース１８８−２を介して伝送する方法が考えられる。このように分散することにより前者のオーディオ信号Ａと後者のリアルタイムインフォメーション信号ＲＴＩと静止画信号ＳＰＣＴが高速に伝送できる。
なお、一方を受信モードに設定したステップＳ１において行う具体的な通信の例は、再生端末からのディスクや曲の指定（リクエスト）、プレイコマンド等の伝送供給指示である。
【００５０】
図２０に示すようにダウンサンプリング(Down-sampling)の処理はダウンサンプリング部１０で行い、デクオンタイズ(De-quantize)の処理はＰＣＭ変換／オーディオ信号処理部９で行う。
また、ダウンミクス(Down-mix)の処理はダウンミクス部１１で行う。
【００５１】
次に、図２５を用いて記録再生装置２００におけるコピーフラグ(Copy Flag)、コピー付帯情報（ダウンサンプリングフラグ(Down-sampling Flag)Ｆａ、ダウンミクスフラグ(Down-mix Flag)Ｆｂ、デクオンタイズフラグ(De-quantize Flag)Ｆｃ、コピー回数）、課金フラグ、ゼロフラグ(Zero Flag)、ミュートフラグ(Mute Flag)、及びパックフラグ(Back Flag)の説明を行う。また、ダウンミクスフラグや、デクオンタイズフラグは、前記の別実施例としてあげた図１７に示したデータ内から得るようにしても良い。
まず、図１のデータ転送Ｉ／Ｆ２００ｂと一方のシリアルインターフェース  １８８−１とを送信モードに設定し（ステップＳ５１）、ディスクプレーヤ
１００に伝送要求を行う（ステップＳ５２）。次いで一方のシリアルインターフェース１８８−１を送信モードから受信モードに設定し（ステップＳ５３）、次いで２本のシリアルインターフェース１８８−１，１８８−２を介して受信する（ステップＳ５４）。次いで、送信側から受信側に対して送られた認証データを受信し、その応答を行い、受信側がコピーを行う資格があるか否かがチエックされ、そのチエック条件を満足する場合、スタートする。コピーフラグと送信側において予めコンテンツ施された処理を示すコピー付帯情報を受け取り、すなわち、ダウンサンプルの処理が施されていればダウンミクスフラグＦｂが“１”にセットされ、もとのビット（例えば、２０ビット）から１６ビットにデクオンタイズ処理が施されていれば、デクオンタイズフラグＦｃが“１”にセットされ、また、コピー回数がセットされたコピー付帯情報を受け取る。また、コンテンツの種類に応じた「有料」、「無料」を示す課金フラグを見て、「有料」の場合、コピー回数情報に応じて課金料金を決定し、電子財布から課金を行う課金管理を行う（ステップＳ５５）。
【００５２】
次に、複数本のシリアルインタフェースの内、いくつかが不使用の場合やデータが「０」の場合には、送信側から受信側に対してそのシリアルインタフェースを介してゼロフラグを送信するので、受信側ではこのフラグを見て（ステップＳ５６）、Ｙであれば受信処理しないようにし（ステップＳ５７）、また、音声信号Ａ以外のデータ、例えば静止画信号ＳＰＣＴやリアルタイムインフォメーションＲＴＩをあるシリアルインタフェースを介して送信する場合には受信側において音声信号用のＤ／Ａコンバータにより雑音が発生しないように、送信側から受信側に対してそのシリアルインタフェースを介してミュートフラグを送信し、受信側ではこのフラグを見て（ステップＳ５８）、Ｙであればミュート処理するようにする（ステップＳ５９）。
【００５３】
また、音声信号Ａ、静止画信号ＳＰＣＴ、リアルタイムインフォメーション
ＲＴＩ、ビデオ信号Ｖをあるシリアルインタフェースを介して送信する場合には受信側においてそれを即座にデコードして同期を取り易いように、送信側から受信側に対してそのシリアルインタフェースを介して信号種類別フラグを送信し、受信側ではこのフラグを見て受信し（ステップＳ６０）、終了であれば（ステップＳ６１でＹ）終了する。送信側では、コピーの完了によってコピー回数情報をカウントアップして書き換える。
【００５４】
ステップ６０の具体例は前述の図６に示したステップと同様である。すなわち、パックフラグがオーディオ信号（ＤＶＤオーディオディスクのＡパック）であるか見て（ステップＳ３１）、ＹであればＡパックバッファに供給し（ステップＳ３２）、パックフラグがビデオ信号（ＤＶＤオーディオディスクのビデオパック）であるか見て（ステップＳ３３）、ＹであればＶパックバッファに供給し（ステップＳ３４）、パックフラグがＲＴＩ信号（ＤＶＤオーディオディスクのＲＴＩパック）であるか見て（ステップＳ３５）、ＹであればＲＴＩパックバッファに供給し（ステップＳ３６）、パックフラグがＳＰＣＴ信号（ＤＶＤオーディオディスクのＳＰＣＴパック）であるか見て（ステップＳ３７）、ＹであればＳＰＣＴパックバッファに供給し（ステップＳ３８）、その他であればデコーダバッファに供給する（ステップＳ３９）。
【００５５】
また、前記の実施例ではＤＶＤオーディオ規格に基づいて処理された信号処理を想定して説明したが、この符号化方式と１ビットＤＳＤ符号化方式を再生できる兼用装置について説明する。
例えば、１ビットＤＳＤ符号化方式の場合、そのデータ構造は、ＳＤＣＤ（スーパーオーディオＣＤ）のものであっても良いが、ここではそのデータ構造は、前記の図８に示される構造とほぼ同様で、オーディオデータエリアにＤＳＤ符号化データが格納されるものとして説明する。また、伝送時、図１２のリアルデータ内は、例えば、図２６のように配列される。
すなわち、
先頭識別子３ビット（１１１：１ビットＤＳＤ符号化方式を示す）と、
その符号化にエンコードが付与されているか否かを示すエンコード有り無しフラグ１ビットと、
チャンネル及びビット数フラグ４ビット（上位２ビットはチャンネル情報として、例えば、「００：２ＣＨ」、「０１：３ＣＨ」、「１０：６ＣＨ」、
「１１：その他チャンネル」を表し、下位２ビットはビット数情報として、例えば、「００；２４ビット」、「０１；２０ビット」、「１０；１６ビット」、「１１；その他ビット」を表す）と、１ビットオーディオデータとから構成される。
上記のエンコードは、例えばハフマン符号のようなロスレス圧縮を表す。
また、このとき、前記の１ビットＤＳＤ符号化方式を示すフラグは、図１３で示す管理情報内の保留領域に新たに設けるようにしても良い。
【００５６】
そして、前述の図６に対応した再生動作として、図２７のフローチャートで説明すれば、ステップ３１において、信号識別フラグがＡパックと判断された場合には、ステップ３２において、１ビット符号化方式のフラグがあるか否かが検出され、YであればＤＳＤ用バッファに供給し（ステップＳ３３）、フラグが見あたらない場合には、ＰＣＭ用バッファに供給する（ステップＳ３４）。
【００５７】
また、このような符号化方式のディスク再生するプレーヤとしては、例えば、図２８に示すプレーヤが提供される。このプレーヤは前記の図２０に対応した構成で、特に、ＤＳＤ／ＰＣＭ変換信号処理部９′が設けられた点が異なり、前記の１ビットＤＳＤ符号化方式のフラグの有り無しに応じてＤＳＤ変換、又はＰＣＭ変換などされたＤＳＤデータ又はＰＣＭデータが出力されるようになっている。
【００５８】
また更に、図２９は、前記の図２１に対応した図で、特に、この場合には、図１２に示す、前述したリアルデータのヘッダ３２ビットの応用情報の４ビットのパックフラグによりＡパックと識別し、そして、図２６に示す先頭識別子
（１１１）により１ビットＤＳＤ符号化方式のデータであるかのチエックして、それに応じてＡパック再生部２３のＤＳＤ用のバッファ２３Ｖ-1又はＰＣＭ用のバッファ２３Ｖ-2に供給し、再生時にはＡパック再生部２３を介してＰＣＭ―ＤＳＤ変換部２８ａよりＰＣＭ信号又はＤＳＤ信号として出力される。
特に、１ビットＤＳＤ符号化方式であると判断された場合には、図３０のフローチャートに示すようにエンコードフラグの有り無しがチエックされ（ステップＳ１５０）、有りの場合には、ＰＣＭ−ＤＳＤ変換部２８ａにおいてロスレス圧縮をデコード処理し（ステップＳ１６０）、図示しないＤ／Ａコンバータに供給することになっている（ステップＳ１７０）。
【００５９】
以上説明した実施例において、インタフェースは複数接続可能なインタフェースであり、多量のデータをより高速に転送させることを念頭におき、複数のインタフェースを接続した構成で説明したが、それほど多量のデータを高速転送することを望まないならば、双方向転送可能なＩＥＥＥ１３９４規格のインタフェースを一個用いるようにしても良い。
また、ディスクプレーヤは、光ディスクに限らず、ハードディスク（ＨＤＤ）等の記録媒体であっても良い。
また、記録再生装置は、携帯端末であっても良い。
【００６０】
【発明の効果】
以上説明したように、本発明によれば、シリアル伝送する場合に、ＤＶＤオーディオ等の所定のＡＳＩＤコンテンツの圧縮方式を識別する情報をリアルデータの所定の領域に格納してＩＥＥＥ１３９４等のパケットに変換して、転送するようにしたので、コンテンツの復号管理が正確に行えるなど、の効果を奏する。
【図面の簡単な説明】
【図１】  本発明に係る伝送方法、信号処理装置（送信装置、受信装置）の第１の実施例を示すブロック図である。
【図２】  図１のディスクプレーヤの処理を示すフローチャートである。
【図３】  第２の実施形態の伝送方法、信号処理装置（送信装置、受信装置）を示すブロ
ック図である。
【図４】  図３のディスクプレーヤの処理を示すフローチャートである。
【図５】  図１、図３の受信装置の処理を示すフローチャートである。
【図６】  図５の詳細フローチャートである。
【図７】  ＩＥＥＥ１３９４規格におけるアイソクロナス転送方式を説明するための図である。
【図８】  ＤＶＤオーディオ規格によるオーディオデータのＡパックのデータ構造である。
【図９】  ＤＶＤビデオ規格によるデータのデータ構造である。
【図１０】  ＤＶＤオーディオ規格によるのＲＴＩパックのデータ構造である。
【図１１】  ＤＶＤオーディオ規格によるのＳＰＣＴパックのデータ構造である
【図１２】  転送時のデータ配列の詳細図である。
【図１３】  リアルデータのテール内の管理情報エリアに格納される情報の詳細図である。
【図１４】  リアルデータ内の配列フォーマットを示す図である。
【図１５】  チャンネルコードを示す図である
【図１６】  リアルデータ内の詳細図である。
【図１７】  チャンネル情報の別実施例である。
【図１８】  チャンネルアサイメントとの例である。
【図１９】  図１４に対応したリアルデータ内の別の実施例である。
【図２０】  図１のプレーヤ１００の詳細ブロックである。
【図２１】  記録再生装置の別の実施例である。
【図２２】  図１の別の動作モードを示すフローチャートである。
【図２３】  図１７に対応した情報が格納される場合の動作フローである。
【図２４】  ダウンサンプルフラグや、ダウンミクスフラグを得た場合の動作フローである。
【図２５】  ゼロフラグや、ミュートフラグを得た場合の動作フローである。
【図２６】  １ビット符号化方式のデータが配列される場合の図１４に対応した図である。
【図２７】  １ビット符号化方式の場合の図６に対応した図である。
【図２８】  ＤＶＤオーディオ方式及び１ビット符号化方式の兼用型のプレーヤのブロック図である。
【図２９】  ＤＶＤオーディオ方式及び１ビット符号化方式の兼用型の図２１に対応した受信側の記録再生装置のブロック図である。
【図３０】  図２９における１ビット符号化方式の信号のデコード処理を示すフローチャートである。
【符号の説明】
１００   ディスクプレーヤ（送信装置）
２００   記録再生装置（受信装置）
１８８−１〜１８８−４   シリアルインタフェース
７−１〜７−２、１３−１〜１３−２、２００ａ、２００ａ´   データ転送インタフェース（送信手段）
２１−１〜２１−２、２００ｂ、２００ｂ´   データ転送インタフェース（受信手段）
【図１】
0003659486.tif 000002
【図２】
0003659486.tif 000003
【図３】
0003659486.tif 000004
【図４】
0003659486.tif 000005
【図５】
0003659486.tif 000006
【図６】
0003659486.tif 000007
【図７】
0003659486.tif 000008
【図８】
0003659486.tif 000009
【図９】
0003659486.tif 000010
【図１０】
0003659486.tif 000011
【図１１】
0003659486.tif 000012
【図１２】
0003659486.tif 000013
【図１３】
0003659486.tif 000014
【図１４】
0003659486.tif 000015
【図１５】
0003659486.tif 000016
【図１６】
0003659486.tif 000017
【図１７】
0003659486.tif 000018
【図１８】
0003659486.tif 000019
【図１９】
0003659486.tif 000020
【図２０】
0003659486.tif 000021
【図２１】
0003659486.tif 000022
【図２２】
0003659486.tif 000023
【図２３】
0003659486.tif 000024
【図２４】
0003659486.tif 000025
【図２５】
0003659486.tif 000026
【図２６】
0003659486.tif 000027
【図２７】
0003659486.tif 000028
【図２８】
0003659486.tif 000029
【図２９】
0003659486.tif 000030
【図３０】
0003659486.tif 000031